(57)【要約】【課題】従来のスモックの場合、ポケットの入口以外はスモックに完全に縫い付けられているため、種々の問題を惹き起こす。例えば、園児がポケットに砂を入れて遊んだ後、ポケットから砂を取り出しても、完全に取り出すことができず、多少の砂がポケット内に残る。あるいは園児が砂場で遊んでいる際に知らぬ間に砂がポケット内に入り、そのまま残ることもある。ポケットに砂が残ったまま園児が室内に入り、スモックを脱ぐとポケットから砂等が周囲に飛散して室内を汚すことになる。また、園児が昼食時にスモックを脱いだ時に食事に砂が混じってしまうことがある。【解決手段】本発明のスモック１０は、ポケット１２を有し、ポケット１２は底部１２Ｄにまち部１２Ｅを有し、まち部１２Ｅは多数の孔１２Ｆが全面に均等に分散して形成された網目構造になっている。【選択図】図２
2007303041.tif 000002
【特許請求の範囲】
【請求項１】
ポケットのあるスモックにおいて、上記ポケットは少なくとも底部にまち部を有し、上記まち部が網目構造になっていることを特徴とする子供用スモック。
【請求項２】
ポケットのあるスモックにおいて、上記ポケットはその口部以外の部分にまち部を有し、上記まち部の少なくとも底部が網目構造になっていることを特徴とする子供用スモック。
【請求項３】
衣服に付けられたポケットの構造において、上記ポケットは少なくとも底部にまち部を有し、上記まち部が網目構造になっていることを特徴とするポケット構造。
【発明の詳細な説明】
【技術分野】
【０００１】
本発明は、例えば園児等の子供が着る子供用スモックに関し、更に詳しくは、ポケット内に砂等の粒子状物質を自然に排出できる子供用スモック及びポケット構造に関するものである。
【背景技術】
【０００２】
例えば子供用スモック（以下、単に「スモック」と称す。）は、主に通園時や園庭等での遊戯時に着用され、室内では脱ぐことが多い。スモックは、園児が園庭等で遊戯をしたり、走り回ったり、転んだりするため、汚れたり、磨耗しやすい。近年、園庭がアスファルト等で舗装されていることが多いため、また、素材の改良等のため、スモックは以前ほどの汚れや損傷が生じにくくなっている。
【０００３】
しかしながら、園児は例えば砂遊びや泥遊びをすることが多いため、スモックは一日で汚れてしまい、毎日洗濯を行わなくてはならない。また、園児が砂遊び等をしている時にポケットに砂等の粒子状物質が入り込み、あるいはポケットに砂を入れて遊びそのままにすることが多くある。
【発明の開示】
【発明が解決しようとする課題】
【０００４】
ところが、従来のスモックの場合、ポケット口部以外はスモックの前身頃に完全に縫い付けられているため、ポケット内に残った砂等の粒子状物質が原因で種々の問題を惹き起こしている。例えば、園児が砂遊びポケットに砂を入れてそのまま忘れたり、ポケットから砂を十分に排除せずポケットに残っていることがある。あるいは園児が砂場で遊んでいる時に知らぬ間に砂がポケット内に入り、そのままにしておくこともある。ポケットに砂が残ったまま園児が室内に入り、脱衣するとポケットの砂が周囲に飛散して室内を汚し、場合によっては給食の食べ物に砂が混じってしまうこともある。
【０００５】
更に、スモックを洗濯する場合には、ポケットの砂が洗濯槽内で飛散して洗濯機の駆動部に入り込み、洗濯機の故障の原因にもなる。また、ポケットに綻びがあればミシンがけして綻びを直すが、ポケットに砂が残っていると、ミシンがけの時にカマ内に砂が混入するなどしてミシンを傷めることもある。
【０００６】
本発明は、上記課題を解決するためになされたもので、ポケットに残留する砂等の粒子状物質に起因する種々の弊害を解消することができるポケットを有する子供用スモック及びポケット構造を提供することを目的としている。
【課題を解決するための手段】
【０００７】
本発明の請求項１に記載の子供用スモックは、ポケットのあるスモックにおいて、上記ポケットは少なくとも底部にまち部を有し、上記まち部が網目構造になっていることを特徴とするものである。
【０００８】
本発明の請求項２に記載の子供用スモックは、ポケットのあるスモックにおいて、上記ポケットはその口部以外の部分にまち部を有し、上記まち部の少なくとも底部が網目構造になっていることを特徴とするものである。
【０００９】
本発明の請求項３に記載のポケット構造は、衣服に付けられたポケットの構造において、上記ポケットは少なくとも底部にまち部を有し、上記まち部が網目構造になっていることを特徴とするものである。
【発明の効果】
【００１０】
本発明の請求項１〜請求項３に記載の発明によれば、ポケットに残留する砂等の粒子状物質に起因する種々の弊害を解消することができるポケットを有する子供用スモック及びポケット構造を提供することができる。
【発明を実施するための最良の形態】
【００１１】
以下、図１〜図３に示す実施形態に基づいて本発明を説明する。尚、各図中、図１は本発明のスモックの一実施形態を示す正面図、図２の（ａ）〜（ｃ）はそれぞれ図１に示すスモックのポケットの構造を示す図で、（ａ）はその正面図、（ｂ）はその底部を示す平面図、（ｃ）はその側面を示す側面図、図３は図２に示すまち部の一部を拡大して示す平面図、図４の（ａ）〜（ｃ）はそれぞれ本発明のスモックの他の実施形態のポケット構造を示す図２の（ａ）〜（ｃ）に相当する図である。
【００１２】
本実施形態のスモック１０は、例えば図１に示すように、裾側から被って着用するタイプで、前身頃１１の左右に配置された２つのポケット１２、１２を備えている。スモック１０の襟ぐり１３と袖口１４にはゴム１５Ａ、１５Ｂがそれぞれ装着され、襟ぐり１３及び袖口１４がそれぞれ伸縮自在になっている。また、スモック１０は、撥水、撥油性で且つ通気性に優れ、形態安定性に優れた素材によって形成され、クレヨン等による汚れや食べ物による汚れ等が洗濯により落ちやすくなっている。
【００１３】
また、ポケット１２は、例えば図２の（ａ）〜（ｃ）に示すように、正面形状が略矩形に形成されている。ポケット１２は、ポケット口部１２Ａから左右両側縁部１２Ｂ、１２Ｃの下端近くまで前身頃１１に縫い付けられている。ポケット１２の底部１２Ｄにはまち部１２Ｅが形成され、まち部１２Ｅを介して前身頃１１に縫いつけられている。従って、ポケット１２に物品を入れると同図の（ｂ）、（ｃ）に示すように底部１２Ｄが前身頃１１からまち部１２Ｅの分だけ膨らむようになっている。
【００１４】
而して、まち部１２Ｅは、図２の（ｂ）、（ｃ）に示すように網目構造になっている。まち部１２Ｅには例えば図３に示すように多数の略同一大きさの孔１２Ｆが全面に均等に分散して形成された網目構造になっており、これらの孔１２Ｆは砂等の粒子状物質よりも大きく形成されている。図３では全ての孔１２Ｆが同一大きさになっているが、必ずしも同一の大きさでなくても良い。このまち部１２Ｅは、多数の孔１２Ｆが形成された網目構造であるため、強度的に弱くなる傾向にある。そこで、本実施形態では、まち部１２Ｅは、例えばスモック生地とは異なり、繊維を編んで多数の孔１２Ｆが形成された丈夫な生地によって形成されている。このような生地によってまち部１２Ｅを形成することで、種々の物品をポケット１２に入れても破れ難く、しかも砂等の粒子状物質が入った場合等には多数の孔１２Ｆを通り抜けてポケット１２の外側へ自然に排出されるようになっている。
【００１５】
図２の（ａ）〜（ｃ）ではポケット１２の底部１２Ｄに多数の孔１２Ｆのあるまち部１２Ｅを設けた例について説明したが、図４の（ａ）〜（ｃ）に示すようにポケット１２のポケット口部１２Ａ以外の略全周縁部にまち部１２Ｅを設けても良い。
【００１６】
この場合にも図３に示すように、まち部１２Ｅに多数の孔１２Ｆが全面に渡って均等に分散して形成されている。この場合にはまち部１２Ｅがポケット１２の両側縁部１２Ｂ、１２Ｃ及び底部１２Ｄに設けられているため、図２に示す場合よりもポケット１２の容積が大きくなるため、ポケット１２内により多くの、あるいはより大きな物品を収納することができる。また、ポケット１２の両側縁部１２Ｂ、１２Ｃから底部１２Ｄに渡って多数の孔１２Ｆが形成されているため、内部の砂をより確実に自然に排出することができる。
【００１７】
以上説明したように本実施形態によれば、ポケット１２の底部１２Ｄ、あるいは底部１２Ｄから両側縁部１２Ｂ、１２Ｃに渡ってまち部１２Ｅを設け、しかもまち部１２Ｅに多数の孔１２Ｆを均等に分散させた網目構造にしたため、園児がポケット１２に砂を入れて遊んでも、まち部１２Ｅの多数の孔１２Ｆから砂が自然に排出されて、ポケット１２内に砂が残ることがない。また、園児が砂場等で遊んでいる時にポケット１２に砂が入ってもポケット１２内に砂が残ることはない。
【００１８】
従って、園児が室内に入ってスモック１０を脱いでもポケット１２から砂が周囲へ飛散することもなく、また、給食時に砂が食べ物に混入することもない。
【００１９】
また、スモック１０を洗濯する時にも洗濯槽内の駆動部に砂が入り込んで洗濯機を故障させることもない。更に、ポケット１２の綻びを直す時にミシンがけをしてもカマに砂が入り込むこともなくミシンを故障させることもない。
【００２０】
尚、本発明は、園児が裾から被って着用するタイプのスモック１０を例に挙げて説明したが、その他のタイプのスモックであっても良く、また、園児に限らず、小学校低学年の子供が着用するスモックについても本発明を適用できることは云うまでもない。更に云えば、一般のスポーツウエア等の衣服のポケットにも本発明のポケット構造を適用することができる。
【産業上の利用可能性】
【００２１】
本発明は、園児等の子供用スモックに好適に利用することができる。
【図面の簡単な説明】
【００２２】
【図１】本発明のスモックの一実施形態を示す正面図である。
【図２】（ａ）〜（ｃ）はそれぞれ図１に示すスモックのポケットの構造を示す図で、（ａ）はその正面図、（ｂ）はその底部を示す平面図、（ｃ）はその側面を示す側面図である。
【図３】図２に示すまち部の一部を拡大して示す平面図である。
【図４】（ａ）〜（ｃ）はそれぞれ本発明のスモックの他の実施形態のポケット構造を示す図２の（ａ）〜（ｃ）に相当する図である。
【符号の説明】
【００２３】
１０    スモック
１２    ポケット
１２Ａ  ポケット口部
１２Ｄ  底部
１２Ｅ  まち部
１２Ｆ  孔
ＷＲ
【図１】
2007303041.tif 000003
【図２】
2007303041.tif 000004
【図３】
2007303041.tif 000005
【図４】
2007303041.tif 000006